(57)【要約】【課題】  カバー裏面側のリブを省略し、カバーの取り付け作業を円滑に行うことができ、リブによるカバーの損傷のおそれを解消するとともに、「ヒケ」を防止し、一方で、カバー表面の撓みや変形などを防止することのできるカバー水栓を提供すること。【解決手段】  内部に水栓本体２を収容するカバー水栓１において、カバー水栓１の両カラー４９．５０の裏面側に当接する当接部９４，９６を有する固定用ステー９０を設けた。当接部９４，９６は、固定用ステー９０の側面部を用いることとした。    【選択図】    図３
2008138380.tif 000002
【特許請求の範囲】
【請求項１】
内部に水栓本体などの水栓部品を収容するカバー水栓であって、該カバー水栓のカバーの裏面側に当接する当接部を設けたことを特徴とするカバー水栓。
【請求項２】
前記当接部は、水栓本体を固定する固定用ステーに設けられたことを特徴とする請求項１に記載のカバー水栓。
【請求項３】
前記当接部は、前記カバー水栓の側面部に設けられるとともに前記カバーの本体と別体に設けられたカラーの裏面側に設けられたことを特徴とする請求項１または請求項２に記載のカバー水栓。
【発明の詳細な説明】
【技術分野】
【０００１】
本発明は、カバー水栓に関する。
【背景技術】
【０００２】
従来、水栓本体がカバーの内部に設けられるとともに浴室などの壁面に固定されるカバー水栓が知られている。このようなカバー水栓のカバーは、その表面の補強のために、裏側側にリブを設けることが多かった（例えば、特許文献１参照。）。
【０００３】
【特許文献１】特開平１０−１９５９４４号公報（図２）
【発明の開示】
【発明が解決しようとする課題】
【０００４】
ところが、このようなリブを設けた部位のカバー表面には、いわゆる「ヒケ」（凹痕）が生じやすく、カバー水栓の美観を損ねる要因となっていた。また、水栓本体などの、カバー内部に収容される部品にカバーを取り付ける際に、これらの部品にリブが引っかかって取り付け作業に支障を及ぼすという問題があり、場合によっては、リブがひっかかってカバーを損傷するというおそれもあった。特に、近年はカバー水栓の小型化が要望されており、カバーそのものの小型化のために、内部に収容される部品との間隔が極めて小さくなるようにカバーが形成されているために、このような問題が顕在化していた。一方で、このようなリブを設けないと、表面の補強が十分ではなく、カバー表面が撓んだり変形するなどの問題があった。
【０００５】
本発明は上記した従来のカバー水栓の問題点を解消するものであり、カバー裏面側のリブを省略し、カバーの取り付け作業を円滑に行うことができ、リブによるカバーの損傷のおそれを解消するとともに、「ヒケ」を防止し、一方で、カバー表面の撓みや変形などを防止することのできるカバー水栓を提供することを目的とする。
【課題を解決するための手段】
【０００６】
以上の課題を解決するために、本発明の採った手段を以下に説明する。本発明のカバー水栓は、内部に水栓本体などの水栓部品を収容するカバー水栓であって、該カバー水栓のカバーの裏面側に当接する当接部を設けたことを特徴とするカバー水栓（請求項１）である。
【０００７】
このような当接部により、カバーの裏面側からカバーを当接支持することができ、カバーの撓みを防止することができ、撓み防止のためのリブを省略することができる。
【０００８】
「当接部」は、カバーの内部に収容される水栓部品そのものに設けたり、固定用ステーなどに設けることができる。また、「当接部」の形状は、補強すべきカバーの部位に応じて適宜変更が可能であり、特に限定されることはないが、十分な補強のためには、補強すべきカバーの部位の全般に渡って設けられることが望ましい。また逆に、補強すべきカバーのみに対して当接部を設ければ足り、カバーの全てに渡って当接部を設ける必要はない。
【０００９】
また、このようなカバー水栓において、前記当接部は、水栓本体を固定する固定用ステーに設けられたものとしても良い（請求項２）。
【００１０】
固定用ステーを流用して単にカバー裏面側からカバーに当接させるだけなので、簡便な構造によりカバーの撓み防止を行うことができる。
【００１１】
また、このようなカバー水栓において、前記当接部は、前記カバー水栓の側面部に設けられるとともに前記カバーの本体と別体に設けられたカラーの裏面側に設けられたたものとしても良い（請求項３）。
【００１２】
このような別体に設けられたカラーは特に撓みや変形が目立ちやすいので、本発明が好適である。
【発明の効果】
【００１３】
本発明のカバー水栓は上記のような当接部を設けたので、カバー裏面側のリブを省略し、カバーの取り付け作業を円滑に行うことができ、リブによるカバーの損傷のおそれを解消することができる。また、リブを省略したので「ヒケ」を防止することもできる。その一方で、カバー表面の撓みや変形などを防止することができる。
【発明を実施するための最良の形態】
【００１４】
次に、本発明のカバー水栓の実施の形態を図を参考にして詳細に説明する。図１から図３に示すように、本発明のカバー水栓１は、浴室内の壁面Ａの前面に取り付けられたカウンターＢの上部に載置されるとともに、壁面Ａにねじ止め固定されているものである。また、このカバー水栓１は、温度調節ハンドル４により適宜の湯温に調節された混合水を、吐水切換ハンドル５の操作によって、吐水口６またはシャワーエルボ７に接続されたシャワー（図示省略）から吐水させるものである。そして、このカバー水栓１のカバー１１は、下部カバー２０と、上部カバー４０とから構成され、内部には、後述する水栓本体２が収容固定されている。また、図１から図３に示すように、上部カバー４０は、左右のカラー４９、５０と、背面カバー４２と、メンテナンスカバー７０と、上側カバー４８とを備えており、これらを組み付けて全体が箱形形状に形成されている。
【００１５】
図３に示すように、下部カバー２０は、前後方向に肉薄の、上下面及び背面が開放された横断面「コ字」状に形成されている。そして、この下部カバー２０の上端面が上部カバー４０の一部が載置可能な載置部３３とされている。また、正面部２６の上部及び下部には、下部カバー２０を壁面Ａにねじ止めするための固定用孔２１が開設された固定片２２，２４が突設されている。
【００１６】
また、下部カバー２０の正面部２６及び両側面部２７の下端には、段部２８が形成されている。段部２８は、カウンターＢ上面に設けられた取付口８の周縁に沿って凹設された載置部３に対応して形成されている。そしてこの段部２８の内側には、取付口８の内側に対応して形成され、段部２８から下方に延設された差込部２９が設けられている。このような差込部２９により、下部カバー２０の取付口８への取付が案内され、下部カバー２０の取付口８への取付を容易に行うことができる。また、取付口８の周縁の載置部３に対応した段部２８が設けられることにより、下部カバー２０を取付口８に取り付けた際には段部２８が載置部３上に当接載置されることになり、下部カバー２０を取付口８に安定的・確実に取り付けることができる。
【００１７】
また、各々の側面部２７の上端には、上部カバー４０が下部カバー２０上に載置される際に、カラー４９、５０の内側面に摺接する部位に設けられた薄板状の挿嵌部３０が突設されている。図３に示すように、上部カバー４０が下部カバー２０上に載置される際に、挿嵌部３０が両カラー４９、５０の内側面に摺接しつつ下部カバー２０に対する上部カバー４０の位置を案内して、上部カバー４０を下部カバー２０に対して適切な位置に設置することができる。挿嵌部３０は、側面部２７に沿って、その横断面が長手方向となる薄板状に形成されている。また、両挿嵌部３０の内側面には、突条３２が形成されており、挿嵌部３０を補強している。なお、薄板状の挿嵌部３０を平行に二つ形成して、それらの挿嵌部３０間にカラー４９、５０の下端部を挟み込むようにして位置決めをすることもできる。
【００１８】
次に上部カバー４０について説明する。上記したように、上部カバー４０は、左右のカラー４９、５０と、背面カバー４２と、正面側に取り付けられるメンテナンスカバー７０と、上側カバー４８とから構成されている。また、これらの上部カバー４０内には、固定用ステー９０が取り付けられた水栓本体２が収容保持されている。
【００１９】
左側のカラー４９は、側面視、底面が幅狭の「逆台形」状の板状に形成されており、その上面寄りの手前側に、温度調節ハンドル４が取り付けられる円形の開口部５２が、上面寄りの奥側に、シャワーエルボ７が突設される円形の開口部５３が、それぞれ開設されている。また、内側面には、後述するメンテナンスカバー７０と係合取付するための係止部５４、係合部５６とが設けられている。また、逆台形に形成されたカラー４９の本体５１の周縁には、内側に向かって立設された周壁部５８が設けられている。また、本体５１の裏面側には「リブ」が設けられておらず、ほぼ平滑面に形成されている。そして、右側のカラー５０は、シャワーエルボ７用の開口部５３が設けられていない点を除いてカラー４９とほぼ左右対称に形成されている。
【００２０】
メンテナンスカバー７０は、右側面視ほぼ「Ｌ字」状に形成されている。メンテナンスカバー７０の手前側上面中央付近には、吐水口６を突出させるための半円状の凹部７２が形成されている。また、裏側面には、上記した係止部５４，係合部５６と各々係合して両カラー４９，５０とを固定する係止部７４と係合部７６とが、左右端付近両側にそれぞれ形成されている。
【００２１】
背面カバー４２は、正面視において、下部が開放された「コ字」状に形成されており、その本体の正面側には、カラー４９，５０及び上側カバー４８の後端部が差し込み保持される溝４３が形成されている。また、両側部４４の上部寄りには両側部４４間に懸架された補強片４５が設けられており、この補強片４５には取付孔４１が二箇所設けられている。
【００２２】
図１及び図２に示すように、上側カバー４８は、水栓本体２を収容するように正面寄りに半円筒部４６が形成された板状に設けられるものであり、半円筒部４６の手前側下端面中央付近には、上記したメンテナンスカバー７０の凹部７２と相俟って吐水口６を突出させる半円状の凹部４７が形成されている。
【００２３】
水栓本体２は、図３に示すように、左右を長手方向とした円柱状の本体部１０と、本体部１０の背面側に接続されて「クランク」状に屈曲形成された配管部１２とを備えている。図５に示すように、本体部１０の左右両端部には、温度調節ハンドル４及び吐水切換ハンドル５が取り付けられるとともに、内蔵された各弁装置を駆動するためのスピンドル１４がそれぞれ設けられている。また、本体部１０の中央付近の下部には吐水口６が突設されており、本体部１０の中央付近背面側には、シャワーエルボ７に接続されるシャワー配管部１６が突設されている。また、配管部１２のそれぞれの屈曲部の正面側には、それぞれ、止水栓１８が設けられており、カバー水栓１の設置後には、上記したメンテナンスカバー７０のみを取り外すことにより、これらの止水栓１８を操作することができるように構成されている。そして、配管部１２の後端部からは、カウンターＢ内の配管に接続される配管１９がそれぞれ延設されている。
【００２４】
固定用ステー９０は、図３に示すように、背面部９２と、背面部９２の左右両側から正面側に屈曲延設された当接部９４，９６が設けられ、正面側が開放された「コ字」状に形成されている。当接部９４，９６は、側面視がほぼ「Ｌ字」状に形成された薄板状に形成されている。図４にも示すように、カバーの組み付け後においては、この当接部９４，９６が、両カラー４９，５０の裏面側に当接されて、両カラー４９，５０をその裏面側から支持・補強する。
【００２５】
また、左側の側面部９４の上方には、シャワーエルボ７が突設される円形の開口部９８が開設されている。この開口部９８は、上部カバー４０が組み立てられて固定用ステー９０が組み付けられた際には、上記した左側のカラー４９の開口部５３に対応する部位に開設されている。また、側面部９４，９６の下部の正面側には、背面部９２とほぼ平行方向に沿って屈曲形成された正面部１００が設けられている。正面部１００には、水栓本体２の止水栓１８が露呈される円形の開口部１０２が開設されている。
【００２６】
また、背面部９２の上端寄りには左右に沿って４箇所、下端寄りには２箇所のねじ止め用の取付孔１０４が開設されている。また、取付孔１０４が設けられる部位のすぐ下方の背面部９２の部位には、上記した背面カバー４２の補強片４５の取付孔４１に対応した部位に取付孔１０８が設けられており、背面カバー４２と固定用ステー９０とがこれらの取付孔４１，１０８に裏面側から取り付けられたねじ９によって固定可能に設けられている。
【００２７】
そして、下部カバー２０に取り付ける前の上部カバー４０は、固定用ステー９０の開口部１０２に水栓本体２の配管部１２がそれぞれ挿通固定され、固定用ステー９０と背面側カバー４２とが取付孔４１，１０８に背面側から取り付けられたねじ９によって固定されている。そして、左右のカラー４９，５０は、水栓本体２の本体部１０の両端部がその開口部５２，５３に挿通された上で、温度調節ハンドル４，吐水切換ハンドル５がスピンドル１４にそれぞれ取着されて、本体部１０端部とハンドル４，５によって水栓本体２に挟着されている。そして上記したように、両カラー４９，５０の裏面側に、当接部９４，９６が各々当接することにより、両カラー４９，５０の支持・補強がなされる。また、カラー４９，５０の本体５１裏面には「リブ」は設けられておらず、上記したカラー４９，５０の取り付け作業時において、水栓本体２や配管１９にひっかかるおそれはない。また、カラー４９，５０表側には、「リブ」を設けたことによる「ヒケ」の発生のおそれはない。
【００２８】
また、左右のカラー４９，５０の後端部が背面カバー４２の両側部４４の溝４３に差し込まれて固定されている。このように、下部カバー２０に取り付ける前の上部カバー４０は、背面カバー４２と、両カラー４９，５０のみが、固定用ステー９０と水栓本体２とに組み付けられた状態とされている。
【００２９】
このようなカバー水栓１は、図３に示すように、以下のように壁面Ａ及びカウンターＢに設置固定される。まず最初に、下部カバー２０のみをカウンターＢの取付口８に位置決め固定する。具体的には、下部カバー２０の下端部に設けられた差込部２９を取付口８に差し込む。
【００３０】
次いで、この下部カバー２０の上部に、水栓本体２、固定用ステー９０、両カラー４９，５０及び背面カバー４５を組み付けたものを載置する。まず最初に、水栓本体２の下方に延設された配管１９を下部カバー２０内側に差し込んでいく。そしてこの際に、下部カバー２０の上端に設けられた各々の挿嵌部３０が、カラー４９，５０の内側面にそれぞれ摺接挿入されるようにしてこれらを下部カバー２０の適切な位置に案内させながら載置する。このようにして、下部カバー２０の載置部３３に、両カラー４９，５０及び背面カバー４２の下端面が当接されるようにして、下部カバー２０に対して水栓本体２などが載置される。次いで、固定用ステー９０の取付孔１０４を壁面Ａに仮止めしておきながら、水栓本体２などを微調整し、その後ねじ９を本締めして壁面Ａに固定する。
【００３１】
そして、上側カバー４８を水栓本体２などの上部に取り付ける。さらに、メンテナンスカバー７０を両カラー４９、５０間にはめ込む。具体的には、メンテナンスカバー７０の係止部７４を両カラー４９，５０の係止部５４に、係合部７６を係合部５６に、それぞれ正面側から圧入して取り付ける。さらに、配管１９をカウンターＢ内の配管に接続して、壁面Ａ及びカウンターＢに対するカバー水栓１の設置固定が完了する。なお、配管１９の配管への接続は、下部カバー２０上に水栓本体２などを載置する作業以降のいずれの時に行っても良い。
【００３２】
本発明は上記した実施の形態に限られるものではなく、本発明の趣旨の範囲内で種々の変更が可能である。例えば、カバー１１に当接される固定用ステーの当接部の形状は、補強すべきカバー１１の部位に応じて適宜変更が可能である。例えば、カラー４９，５０の本体５１のほぼ全部に当接する形状などとしても良く、この場合には、上記した実施の形態では、当接部９４，９６の形状を側面視逆台形のような形状に変更すれば良い。また、カラー４９，５０に限らず、例えば上側カバー４８など、別の部位のカバー１１が当接されるものとしても良い。
【図面の簡単な説明】
【００３３】
【図１】本発明のカバー水栓の正面図である。
【図２】本発明のカバー水栓の平面図である。
【図３】カバー水栓の一部分解斜視図である。
【図４】カバー水栓の正面視破断面図である。
【図５】図１のカバー水栓のＡ−Ａ線断面図である。
【符号の説明】
【００３４】
１；カバー水栓、２；水栓本体、３；載置部、４；温度調節ハンドル、５；吐水切換ハンドル、６；吐水口、７；シャワーエルボ、８；取付口、９；ねじ、１０；本体部、１１；カバー、１２；配管部、１４；スピンドル、１６；シャワー配管部、１８；止水栓、１９；配管、２０；下部カバー、２１；固定用孔、２２，２４；固定片、２６；正面部、２７；側面部、２８；段部、２９；差込部、３０；差込片、３２；突条、３３；載置部、４０；上部カバー、４１；取付孔、４２；背面カバー、４３；溝、４４；両側部、４５；補強片、４６；半円筒部、４７；凹部、４８；上側カバー、４９、５０；カラー、５１；本体、５２；開口部、５３；開口部、５４；係止部、５６；係合部、５８；周壁部、７０；メンテナンスカバー、７２；凹部、７４；係止部、７６；係合部、９０；固定用ステー、９２；背面部、９４，９６；当接部、９８；開口部、１００；正面部、１０２；開口部、１０４；取付孔、１０８；取付孔、Ａ；壁面、Ｂ；カウンター。
【図１】
2008138380.tif 000003
【図２】
2008138380.tif 000004
【図３】
2008138380.tif 000005
【図４】
2008138380.tif 000006
【図５】
2008138380.tif 000007